(57)【要約】【課題】  情報記憶媒体の寿命をユーザに常時知らせる情報記録再生装置及び欠陥管理情報量の表示方法を提供する。【解決手段】  書換え可能エリアはユーザデータを格納するためのユーザエリアと、前記書換え可能エリア上の欠陥エリアを管理する欠陥管理情報を格納するためのＤＭＡとを備え、ＤＭＡは複数の交替領域を備え、複数の交替領域の中から現在使用中の交替領域の先頭位置を示す情報を管理するＤＭＡマネージャとを備えた情報記憶媒体を用いる方法において、ＤＭＡマネージャから現在使用中の交替領域の先頭位置を示す前記情報を検出し、検出された情報に基づいて、複数の交替領域の中でまだ未使用の交替領域の容量の割合を算出し、算出された未使用の交替領域の容量の割合を表示することを特徴とする。【選択図】  図１
2006209920.tif 000002
【特許請求の範囲】
【請求項１】
書換え可能エリアを備えた情報記憶媒体であって、前記書換え可能エリアは、ユーザデータを格納するためのユーザエリアと、前記書換え可能エリア上の欠陥エリアを管理する欠陥管理情報を格納するための欠陥管理エリアとを備え、前記欠陥管理エリアは、複数の交替領域を備え、前記複数の交替領域の中から現在使用中の交替領域の先頭位置を示す情報を管理する欠陥管理情報マネージャとを備えた情報記憶媒体を用いる装置において、
前記欠陥管理情報マネージャから現在使用中の交替領域の先頭位置を示す前記情報を検出する管理情報検出部と、
この管理情報検出によって検出された前記情報に基づいて、前記複数の交替領域の中でまだ未使用の交替領域の容量の割合を算出する残り使用量検出部と、
この残り使用量検出部によって算出された前記未使用の交替領域の容量の割合を表示する表示部とを具備することを特徴とする情報記録再生装置。
【請求項２】
前記表示部は、情報記憶媒体が挿入されたとき、あるいは記録再生が終了したときに、前記管理情報検出部によって前記欠陥管理情報マネージャから現在使用中の交替領域の先頭を示す前記情報に基づいて前記未使用の交替領域の容量の割合を表示することを特徴とする請求項１記載の情報記録再生装置。
【請求項３】
書換え可能エリアを備えた情報記憶媒体であって、前記書換え可能エリアは、ユーザデータを格納するためのユーザエリアと、前記書換え可能エリア上の欠陥エリアを管理する欠陥管理情報を格納するための欠陥管理エリアとを備え、前記欠陥管理エリアは、複数の交替領域を備え、前記複数の交替領域の中から現在使用中の交替領域の先頭位置を示す情報を管理する欠陥管理情報マネージャとを備えた情報記憶媒体を用いる方法において、
前記欠陥管理情報マネージャから現在使用中の交替領域の先頭位置を示す前記情報を検出し、
この検出された前記情報に基づいて、前記複数の交替領域の中でまだ未使用の交替領域の容量の割合を算出し、
この算出された前記未使用の交替領域の容量の割合を表示するように構成した欠陥管理情報量の表示方法。
【請求項４】
情報記憶媒体が挿入されたとき、あるいは記録再生が終了したときに、前記欠陥管理情報マネージャから現在使用中の交替領域の先頭を示す前記情報に基づいて未使用の交替領域の容量の割合を表示することを特徴とする請求項３記載の欠陥管理情報量の表示方法。
【発明の詳細な説明】
【技術分野】
【０００１】
この発明は、欠陥管理情報を格納する欠陥管理エリアを備えた情報記録媒体から欠陥管理情報を取得しユーザデータを再生する情報記録再生装置及び欠陥管理情報量の表示方法に関する。
【背景技術】
【０００２】
例えば相変化を利用した光ディスクなど、情報を書換可能に記録できる情報記憶媒体は、ディスク上に発生した「記録する上での欠陥箇所」を補償するための仕組みを持っている。この発生した欠陥箇所を管理するためのエリアは、欠陥管理情報領域（Defect Management Area：以下、適宜ＤＭＡと略記する）と呼ばれている。
【０００３】
ＤＭＡは、欠陥箇所の増加に伴いオーバーライトされる。一般的に、情報記憶媒体はオーバーライトにより特性が劣化するため、オーバーライトの許容回数が制限されている。この許容回数が比較的少ない媒体（ブルーレーザを用いる高密度光ディスクなど）の場合、ＤＭＡの更新に伴うオーバーライトが問題となってくる。つまり、オーバーライトに伴い、欠陥管理情報を記録したＤＭＡ自体が欠陥となってしまう可能性がある。
【０００４】
上記の問題に対処すべく情報記憶媒体上にＤＭＡ（欠陥管理情報を格納する領域）を複数配置しＤＭＡ自体も交替可能とした先行技術がある（特許文献１）。
【特許文献１】特開２００４−２８８２８５号公報
【発明の開示】
【発明が解決しようとする課題】
【０００５】
上記の先行技術では、ＤＭＡが欠陥だと判断されると予約のＤＭＡに交替記録されるが、現在使用中のＤＭＡがどこにあるのかは、複数のＤＭＡ予約エリアを順にインクリメントしながらサーチする等の方法がある。
【０００６】
しかしながら、サーチして探した現在使用中のＤＭＡが実際どの程度使用されているのかユーザは知ることができなかった。上述したようにＤＭＡにはオーバーライトの許容回数が制限されているため、この許容回数を越えると媒体自体が使用できなくなってしまう。
【０００７】
そこで、本発明は上記の問題を解決するために成されたものであり、これまで知らされていなかった情報記憶媒体の寿命をユーザに常時知らせる情報記録再生装置及び欠陥管理情報量の表示方法を提供する。
【課題を解決するための手段】
【０００８】
上記した課題を解決するために、この発明は、書換え可能エリアを備えた情報記憶媒体であって、前記書換え可能エリアは、ユーザデータを格納するためのユーザエリアと、前記書換え可能エリア上の欠陥エリアを管理する欠陥管理情報を格納するための欠陥管理エリアとを備え、前記欠陥管理エリアは、複数の交替領域を備え、前記複数の交替領域の中から現在使用中の交替領域の先頭位置を示す情報を管理する欠陥管理情報マネージャとを備えた情報記憶媒体を用いる装置において、前記欠陥管理情報マネージャから現在使用中の交替領域の先頭位置を示す前記情報を検出する管理情報検出部と、この管理情報検出によって検出された前記情報に基づいて、前記複数の交替領域の中でまだ未使用の交替領域の容量の割合を算出する残り使用量検出部と、この残り使用量検出部によって算出された前記未使用の交替領域の容量の割合を表示する表示部とを具備することを特徴とする。
【発明の効果】
【０００９】
この発明によれば、ＤＭＡの使用量が予め定めた任意の設定値を越えたかどうかで警告を発するのではなく、ＤＭＡの管理情報を検出することにより常時ユーザに情報記憶媒体の寿命を知らせることができる。
【発明を実施するための最良の形態】
【００１０】
以下、この発明の実施の形態について図面を参照して説明する。図１は、この発明の一実施の形態に係る情報記憶媒体（例えば相変化を利用した書換可能な光ディスク：ＤＶＤ−ＲＡＭ、ＤＶＤ−ＲＷ、あるいはブルーレーザを用いる次世代の高密度ＨＤ＿ＤＶＤ−ＲＡＭ、ＨＤ＿ＤＶＤ−ＲＷなど）のデータ構造の一例を示す図である。
【００１１】
ＤＭＡは、媒体上の固定物理アドレスエリアに配置されており、ＤＭＡに対する耐障害性を高めるため、同一の内容が格納されたＤＭＡが媒体上の数箇所に配置されている。例えば、この発明の一実施の形態に係るＨＤ＿ＤＶＤ−ＲＡＭディスクの場合は、ＤＭＡはディスクの最内周（リードインエリア）に２箇所（ＤＭＡ１、２）、ディスクの最外周（リードアウトエリア）に２箇所（ＤＭＡ３、４）、合計4箇所にＤＭＡが配置されており、４つのＤＭＡ（ＤＭＡ１〜４）には同一の内容が記録されるようになっている。
【００１２】
ユーザエリア（User Area）はユーザデータを格納するためのエリアである。図示しないが、例えばユーザエリアとＤＭＡとの間には、スペアエリアを設けることができる。このスペアエリアは、ユーザエリア上に存在する欠陥エリアに記録されるべきデータが交替記録されるエリアとして利用できる。ここで、欠陥エリアはＥＣＣ（Error Correction Code）ブロック単位のエリアであり、ＥＣＣブロック単位のデータがスペアエリアに交替記録されることになる。
【００１３】
この情報記憶媒体は、ＤＭＡの耐久性をさらに高めるために、使用中のＤＭＡ（例えばＤＭＡセット＃１−１〜ＤＭＡセット＃４−１）を新たなＤＭＡ（例えばＤＭＡセット＃１−２〜ＤＭＡセット＃４−２）に交替記録することを可能とするため、予備のＤＭＡ領域（例えばＮを２以上の整数としたときにＤＭＡセット＃１−Ｎ〜ＤＭＡセット＃４−Ｎ）を持つ。別の見方をすると、例えば、最内周２箇所、最外周２箇所の合計４箇所にＤＭＡ１〜ＤＭＡ４が配置されているとしたら、４箇所それぞれに予備のＤＭＡ領域（ＤＭＡ１に対してＤＭＡセット＃１の２〜Ｎと、ＤＭＡ２に対してＤＭＡセット＃２の２〜Ｎと、ＤＭＡ３に対してＤＭＡセット＃３の２〜Ｎと、ＤＭＡ４に対してＤＭＡセット＃４の２〜Ｎ）を持つ。
【００１４】
図２には、この４つのＤＭＡの構成が例示されている。最内周に配置されるリードインエリアにＤＭＡ１、２が配置され、最外周に配置されるリードアウトエリアにＤＭＡ３、４が配置される。各ＤＭＡ（ＤＭＡ１、ＤＭＡ２、ＤＭＡ３、ＤＭＡ４）は、各々が複数のＤＭＡ予約エリア（ＤＭＡセット＃１−１〜＃１−Ｎ、ＤＭＡセット＃２−１〜＃２−Ｎ、ＤＭＡセット＃３−１〜＃３−Ｎ、ＤＭＡセット＃４−１〜＃４−Ｎ）を備えている。
【００１５】
ここで、ブルーレーザを用いて相変化記録を行う高密度光ディスクでは、Ｎの値は例えば１００程度に選ばれる。つまり、１個のＤＭＡセット群（ＤＭＡセット＃１〜ＤＭＡセット＃４−１）に対して９９個のＤＭＡセット群がＤＭＡ予約エリア（スペア）として用意されている。あるいは、合計１００個のＤＭＡセット群がＤＭＡ予約エリアとして用意されていると考えてもよい。
【００１６】
図２に例示されるように、情報記憶媒体（ディスク）は複数のＤＭＡセット群（複数のＤＭＡ予約エリア）を持ち、各ＤＭＡセット群はディスク定義構造／一次欠陥リスト（ＤＤＳ／ＰＤＬ）のブロック、二次欠陥リスト（ＳＤＬ）のブロック、リザーブエリア（ＲＳＶ）のブロック等を含んで構成されている。ここで、ＤＤＳはDisc Definition Structureの略であり、ＰＤＬはPrimary Defect Listの略であり、ＳＤＬはSecondary Defect Listの略である。ＤＤＳ／ＰＤＬブロックもＳＤＬブロックもリザーブエリア（ＲＳＶ）のブロックも、ＥＣＣブロック（＝３２ＫＢまたは６４ＫＢなど）単位である。
【００１７】
また、リザーブエリア（ＲＳＶ）のブロックは、連続する複数のＤＭＡ予約エリアの物理的距離を離して欠陥の連鎖を避けるためにも有効である。別の見方をすると、複数のＤＭＡ予約エリアの格納場所中に、複数のリザーブエリア（ＲＳＶブロック）が離散的に存在している。この複数のリザーブエリア（ＲＳＶブロック）は、現在使用中のあるＤＭＡセット群を別のＤＭＡセット群に交替する際の「条件あるいは閾値（書換え回数が所定回になったか、ＥＣＣでエラー訂正が可能な範囲でエラーレートが所定レートを超えたか等）」を格納する条件格納場所としても利用できる。
【００１８】
各ＤＭＡはドライブ内の真の記録単位であるＥＣＣブロックの整数倍のサイズで構成される。この発明の一実施の形態に係る情報記憶媒体としてのＤＶＤ−ＲＡＭディスクでは、１ＥＣＣブロックは１６セクタ（または３２セクタ）で構成されており、１ＥＣＣブロックのサイズは３２ＫＢ（または６４ＫＢ）で構成される。ＰＤＬは初期欠陥登録用の一次欠陥リストであり、ＳＤＬは二次欠陥登録用リストである。ＰＤＬには、媒体をフォーマットする時に実行されるサーティファイにおいて発見された欠陥、即ち初期欠陥に関する欠陥管理情報が登録される。これに対して、ＳＤＬには、通常の記録時（例えばユーザデータ記録時）において見つけられた欠陥、即ち二次欠陥に関する欠陥管理情報が登録される。これらのリストのサイズ及び欠陥ブロックのデータを交替記録するスペアエリアが大きくなれば登録可能な欠陥数が増える。Ｎ個のＤＭＡセット群（ＤＭＡ−１〜ＤＭＡ−Ｎはシーケンシャルに配置されており、例えばＤＭＡ−１から順に使用される。
【００１９】
図２を参照して述べた技術においては、ＤＭＡは耐障害を考慮し同一の内容が格納されたＤＭＡが媒体上の複数箇所（リードイン（ＬＩ）側とリードアウト（ＬＯ）側）に配置されており、この複数箇所のＤＭＡはそれぞれ１〜Ｎの計Ｎ個の交替領域（例えば４セットで１群をなすＤＭＡセット群がＮ個）を持つ。ＤＭＡに対するオーバーライト回数がこの情報記憶媒体のオーバーライト許容回数に近づいてきた場合やエラーレートが悪くなってきた場合は、正確にＤＭＡの情報を保持するために、現在のＤＭＡが未だ書換え使用可能であっても、欠陥管理情報を次の新たなＤＭＡに交替する処理を行う。
【００２０】
例えば、４つのＤＭＡ系列を持つ情報記憶媒体についていうと、４つのＤＭＡは各々異なる位置に配置される。具体的には、ＤＭＡ系列１、２（ＤＭＡ１の系列とＤＭＡ２の系列）は媒体の最内周のリードインエリアに配置され、ＤＭＡ系列３、４（ＤＭＡ３の系列とＤＭＡ４の系列）は媒体の最外周のリードアウトエリアに配置される。
【００２１】
図３は、複数のＤＭＡ系列（例えばＤＭＡ１の系列〜ＤＭＡ４の系列）の使用方法の一例を説明する状態遷移図である。初期状態では、各ＤＭＡに含まれる各ＤＭＡに含まれる第１のＤＭＡ予約エリア（ＤＭＡセット＃１−１、ＤＭＡセット＃２−１、ＤＭＡセット＃３−１、ＤＭＡセット＃４−１）に現在の欠陥管理情報が格納されているとする（図３（ａ）の初期状態）。ＤＭＡ系列１〜４の中で例えばＤＭＡ系列３（現在使用中のＤＭＡセット群１についていえばＤＭＡセット＃３）が欠陥が多いと判断されると、全てのＤＭＡ系列（ＤＭＡ１〜４）における現在使用中のＤＭＡ（ＤＭＡセット群１のＤＭＡセット＃１−１〜ＤＭＡセット＃４−１）の欠陥管理情報は、次のＤＭＡ（ＤＭＡセット群２のＤＭＡセット＃１−２〜ＤＭＡセット＃４−２）に交替記録される（図３（ｂ）の第２状態）。このＤＭＡ交替方向は４つ（ＤＭＡセット＃１〜ＤＭＡセット＃４）同時でかつシーケンシャル（ＤＭＡセット群１→ＤＭＡセット群２→…→ＤＭＡセット群ｋ→…）に行われ（図３（ｃ）の第ｋ状態）、欠陥管理情報が最後のＤＭＡ（ＤＭＡセット群ＮのＤＭＡセット＃１−Ｎ〜ＤＭＡセット＃４−Ｎ）に遷移または推移した時点で、情報記憶媒体にデータを書き込むことができなくなる（図３（ｄ）の書き込み動作終了状態）。
【００２２】
この方法では、現在のＤＭＡが格納されているエリアが欠陥だと判断された場合に、図４のようにＤＭＡをリニアに１回のみ次のＤＭＡ予約エリアに遷移することになる。
【００２３】
図５は、現在使用するＤＭＡセット群（例えばＤＭＡセット＃１−３〜ＤＭＡセット＃４−３）をインクリメンタルサーチする場合の誤検出要因の例を説明する図である。現在使用中のＤＭＡのサーチ方法として、各複数のＤＭＡ予約エリアを順にインクリメントしながらサーチしていく方法がある（インクリメンタルサーチ）。例えば、使用していないＤＭＡエリアは予め全てＦＦｈで埋めておくことによるＤＭＡサーチ方法について説明を行う。
【００２４】
この方法では、ＤＭＡを順番に読んでいき、全てＦＦｈとなるＤＭＡ領域を探す。そして、全てＦＦｈとなるＤＭＡの１つ手前のＤＭＡが現在使用するＤＭＡであると判断するようにしている。
【００２５】
通常は、現在使用中の第１のＤＭＡ予約エリア（図５のStep1ではＤＭＡセット＃１−１〜ＤＭＡセット＃４−１）が規定以上品位が悪くなった場合、第２のＤＭＡ予約エリア（図５のStep2ではＤＭＡセット＃１−２〜ＤＭＡセット＃４−２）に欠陥管理情報が遷移されるはずである。しかし、何らかの要因（例えば傷、埃、指紋等）で第２のＤＭＡ予約エリアが規定以上品位が悪いと判断された場合、第３の予約エリア（図５のStep2ではＤＭＡセット＃１−３〜ＤＭＡセット＃４−３）かそれ以降の予約エリアに欠陥管理情報が遷移されてしまうことも考えられる。この場合、規定以上品位が悪いと判断された第２のＤＭＡ予約エリア（図５のStep2ではＤＭＡセット＃１−２〜ＤＭＡセット＃４−２）には、欠陥管理情報が遷移されなかったため、データはＦＦｈになったままである。前述した、全てＦＦｈとなるＤＭＡの一つ手前のＤＭＡが現在使用するＤＭＡであると判断をおこなう方法を用いると、第２のＤＭＡ予約エリアが使用されなかったためＦＦｈのままとなっている。従って、その１つ手前の第１のＤＭＡが現在使用のＤＭＡだと誤診断されてしまう。
【００２６】
上記誤診断を防ぐ方法として、上述したような単純にＦＦｈを検出するインクリメンタルサーチ法でなく、各ＤＭＡ系列に書かれた内容を比較することによって最新のＤＭＡを決める方法がある。例えば、各ＤＭＡ予約エリアに含まれるupdate counter（図１０のDDS/PDL update counter、図１３のSDL update counter）の値が最大のものが最新のＤＭＡと判断することができる。
【００２７】
図６は、現在使用するＤＭＡセット群（例えば図６の上から３列目の図解でいえばＤＭＡセット＃１−３〜ＤＭＡセット＃４−３）以外のＤＭＡセット群内を全て“ＦＦｈ”等で埋めつつ複数のＤＭＡ系列（ＤＭＡ１の系列〜ＤＭＡ４の系列）が同時に遷移する例を説明する図である。
【００２８】
図６の例は、現在使用するＤＭＡ以外を全て“ＦＦｈ”等で書き潰す点が、図５の例と異なっている。例えば図５の例の場合、Step1で第１のＤＭＡ予約エリアに記録されていたＤＭＡがStep2で何らかの要因で第２予約エリアでなく第３予約エリアに遷移された場合、最初の“データが全てＦＦｈ”になる一つ手前のＤＭＡを最新のＤＭＡと判断するインクリメンタルサーチでは、第２予約エリアが最新のＤＭＡと誤判定されてしまう。このような誤判定を行わないように、図６の例のように、例えば現在使用中のＤＭＡ以外は全てＦＦｈを書き込むことにより、図５のように何らかの要因でＤＭＡ遷移されなかったＤＭＡ予約エリアがあっても、ＦＦｈ以外のＤＭＡ予約エリアをサーチすることにより正確に最新のＤＭＡを探し出すことができる。
【００２９】
最新のＤＭＡ以外のＤＭＡ予約エリアに全てＦＦｈを書き込むには、例えば最新ＤＭＡを次の予約エリアに遷移した後、遷移前のＤＭＡ予約エリアにＦＦｈを書き込む等で具現することができる。またこのような構成を採ることにより、インクリメントサーチによる最新のＤＭＡサーチが容易にできるようになり、より高速に現在使用のＤＭＡを見つけ出すことが可能となる。
【００３０】
遷移しながら欠陥管理情報をＤＭＡ予約エリアに記録していく場合、遷移の条件として、現在使用のＤＭＡに対するオーバーライト回数が当初決めた規定数（例えば１０００回書換え可能な記憶媒体であったら、それを下回る数）になった場合、もしくは自身のＤＭＡのエラー率が規定以上（十分エラー訂正可能なエラーレート以上）になった場合等が考えられる。
【００３１】
例えば、オーバーライト回数が規定数になった時にＤＭＡエリアが遷移する場合を考える。この場合、現在のＤＭＡのオーバーライト回数を何処かに記録しておく必要が生じる。格納場所としては、各々のＤＭＡのリザーブ領域（図７でReservedと書かれているところ）、もしくは、各ＤＭＡ予約エリアのＤＤＳ／ＰＤＬ、ＳＤＬ領域内のリザーブ領域（図１０、図１３でReservedと書かれているところ）、使用中のＤＭＡ予約エリアの位置情報を格納するためのＤＭＡマネージャのリザーブ領域（図９でReservedと書かれているところ）等が考えられる。
【００３２】
例えば、各ＤＭＡ予約エリアのＤＤＳ／ＰＤＬ、ＳＤＬ領域内のリザーブ領域（図１０、図１３でReservedと書かれているところ）に格納する場合を考える。ＤＤＳ／ＰＤＬ、ＳＤＬ領域は個別に書換えがなされるため、オーバーライト回数のカウンタは個別に持つ必要がある。そのため、ＤＤＳ／ＰＤＬブロックとＳＤＬブロック夫々にＤＭＡ記録カウンタ領域を持ち、ＤＭＡ記録カウンタの大きいほうの数が規定数を超えた場合に次のＤＭＡに遷移するという方法が考えられる。
【００３３】
また、ＤＤＳ／ＰＤＬブロックとＳＤＬブロックの所定エリアには、ＤＤＳ／ＰＤＬ update counter（図１０参照）とＳＤＬ update counter（図１３参照）を格納するエリアがあらかじめ定義されており、これはＤＤＳ／ＰＤＬブロック及びＳＤＬブロックが書き換えられた場合にそれぞれインクリメントされるカウンタである。従って、ＤＤＳ／ＰＤＬ update counterとＳＤＬ update counterの内、値が大きいほうの値がＤＭＡ予約エリアの記録カウンタと判断することもできる。
【００３４】
例えば、各々のＤＭＡのリザーブ領域（図７でReservedと書かれているところ）を使用する場合は、ＤＤＳ／ＰＤＬブロックとＳＤＬブロック夫々のＤＭＡ記録カウンタをこの領域のどこかに持つことも考えられる。また、例えばＤＭＡマネージャのリザーブ領域（図９でReservedと書かれているところ）を使用する場合は、ＤＤＳ／ＰＤＬブロックとＳＤＬブロック夫々のＤＭＡ記録カウンタをこの領域のどこかに持つことが考えられる。
【００３５】
ただし、ＤＭＡ系列は複数あり、そのＤＭＡ系列夫々にＤＭＡ予約エリアを持つため、各ＤＭＡ系列の全てのＤＭＡ予約エリアのＤＤＳ／ＰＤＬブロックとＳＤＬブロック夫々の記録回数を記録するのが難しい場合、各ＤＭＡ系列の中に複数あるＤＭＡ予約エリアの中で記録回数の最も多いものや平均値を、各ＤＭＡ系列毎に（例えばＤＭＡが１〜４まであったら４つ）保存する方法等も考えられる。
【００３６】
この発明の一実施の形態に係る情報記録再生装置（図１５参照）は、現在使用中のＤＭＡを探し出す方法としてＤＭＡマネージャ（ＤＭＡマネージャの内容は図９参照）から現在使用中のＤＭＡ予約エリアの位置を読みサーチを行うテーブルルックアップ方式、および／または各ＤＭＡ系列の予約エリアを順にチェックして最新のＤＭＡ予約エリアをサーチするインクリメンタル方式に対応可能に構成されている。インククリメンタル方式については、前述したようにＤＭＡ予約エリアのＦＦｈを探す方法や、ＤＭＡ予約エリアの内容を比較する方法が考えられる。ＤＭＡマネージャに記録されている現在使用中のＤＭＡの位置情報を読み込みサーチするテーブルルックアップ方式の方が、順に各ＤＭＡをサーチしていくインクリメンタル方式よりも正確で高速なため、これを優先的に使用するのが望ましい。基本的には、テーブルルックアップ方式で現在使用中のＤＭＡ予約エリアを見つけることができなかった場合にインクリメンタル方式を用いるとよい。
【００３７】
ＤＭＡマネージャは、ＤＭＡ予約エリアが更新した際に書き換えられるだけなので、ＤＭＡ予約エリアと比べると書換えの頻度も少なく、ダメージを受ける可能性も少ない。しかし、ＤＭＡマネージャは各々のＤＭＡ予約エリアの位置情報を格納する大事なエリアである為、より耐障害性を高めるために、ＤＭＡと同様に、ＤＭＡマネージャにも予約エリアを設けている。例えば、耐障害性を高めるため、物理的に離れたエリアである最内周のリードインエリア及び最外周のリードアウトエリアに、２箇所に配置されており、２箇所それぞれに予備のＤＭＡマネージャ領域を持つ（図７、図８参照）。この２箇所の夫々のＤＭＡマネージャ領域に複数の予約領域を持ち、ＤＭＡ予約エリアの遷移と同じ様に遷移を行う。遷移方法としては、ＤＭＡ予約エリアで説明したのと同様の方法が考えられる。  図７は、複数ＤＭＡマネージャおよび複数ＤＭＡそれぞれの格納位置（情報記憶媒体の物理セクタ番号）を例示する図である。図１のリードインエリアに格納されるＤＭＡマネージャ１は１０個あり、このリードインエリアに格納されるＤＭＡ１、２はそれぞれ１００個あり、個々のＤＭＡマネージャ１およびＤＭＡ１、２の間には、複数の予約エリアが挿入されている。また、図１のリードアウトエリアに格納されるＤＭＡマネージャ２は１０個あり、このリードアウトエリアに格納されるＤＭＡ３、４はそれぞれ１００個あり、個々のＤＭＡマネージャ２およびＤＭＡ３、４の間には、複数の予約エリアが挿入されている。各ＤＭＡマネージャおよび各ＤＭＡの情報には１ブロック分の物理セグメントが割り当てられ、各予約エリアには２ブロック分の物理セグメントが割り当てられている。１ブロック分の物理セグメントは、１６セクタ（または３２セクタ）で構成されており、１ブロック分の物理セグメントのサイズは３２ＫＢ（または６４ＫＢ）で構成される。
【００３８】
前記リードインエリアおよび前記リードアウトエリアの少なくとも一方（図７の例では双方）は離散的に存在する複数の予約エリアを持ち、これらの複数予約エリアの少なくとも１つを、ＤＭＡ間の遷移（交替記録）がどんなときに行われるかを示す条件あるいは閾値（書換え回数が所定回になったか、ＥＣＣでエラー訂正が可能な範囲でエラーレートが所定レートを超えたか等）を格納する条件格納場所として使用できる。使用される予約エリアの数は、前記条件あるいは閾値の情報量が少ないうちは小数（最低１つ）であるが、この情報量が増えてくると、その量に対応した数の予約エリアが使用されることになる。図７のように離散した複数予約エリアに交替条件を書き込むようにすると、交替条件等の格納場所が局所集中しないので、ＥＣＣ訂正が効き易く、傷などによるエラーに強くなる。
【００３９】
図８は、この発明の一実施の形態に係る情報記憶媒体上におけるＤＭＡマネージャ格納エリア（ＤＭＡ＿Ｍａｎ＃１ＤＭＡ＿Ｍａｎ＃１０）の配置を例示する図である。図８に示すように、情報記憶媒体の最内周に配置されるリードインエリアにＤＭＡ１及びＤＭＡ２が配置され、情報記憶媒体の最外周に配置されるリードアウトエリアにＤＭＡ３及びＤＭＡ４が配置される。各ＤＭＡ（ＤＭＡ１、ＤＭＡ２、ＤＭＡ３、及びＤＭＡ４）は、図２で示したように、夫々が複数のＤＭＡ予約エリア（ＤＭＡセット＃１−１〜＃１−Ｎ、ＤＭＡセット＃２−１〜＃２−Ｎ、ＤＭＡセット＃３−１〜＃３−Ｎ、ＤＭＡセット＃４−１〜＃４−Ｎ）を備える。初期状態では、各ＤＭＡに含まれる第１のＤＭＡ予約エリア（ＤＭＡセット＃１−１、ＤＭＡセット＃２−１、ＤＭＡセット＃３−１、ＤＭＡセット＃４−１）に、現在（最新）の欠陥管理情報が格納される。
【００４０】
あるＤＭＡ（例えばＤＭＡセット群１）に含まれる第１のＤＭＡ予約エリア（例えばＤＭＡセット＃１−１）が遷移の条件にあてはまった場合は、全てのＤＭＡ（ＤＭＡ１〜４）もしくは遷移の条件があてはまったＤＭＡ（ＤＭＡ１〜４のどれか）のみ個別に、第１のＤＭＡ予約エリア（ＤＭＡセット＃１−１〜ＤＭＡセット＃４−１）に格納された欠陥管理情報が、全てのＤＭＡ（ＤＭＡ１〜４）もしくは各々のＤＭＡ（ＤＭＡ１〜４のどれか）の第２のＤＭＡ予約エリア（ＤＭＡセット＃１−２〜ＤＭＡセット＃４−２）に遷移される。
【００４１】
上記したように、この情報記憶媒体上では、現在使用中のＤＭＡ予約エリアが遷移する。これに伴い、複数のＤＭＡ予約エリアの中から現在使用中のＤＭＡ予約エリアを短時間で検索するためにＤＭＡマネージャを導入する。つまり、この情報記憶媒体は、図８に示すように、ＤＭＡマネージャを格納するマネージャ格納エリア（Ｍａｎ１、Ｍａｎ２）を備えている。ＤＭＡマネージャは、現在使用中のＤＭＡ予約エリアのアドレスを管理する。言い換えると、マネージャ格納エリアは、現在使用中のＤＭＡ予約エリアの位置情報を格納する位置情報エリアである。
【００４２】
例えば、図８に例示される「現在使用中のＤＭＡ」のアドレス（ディスク上の格納位置）は、前述したインクリメンタルサーチを行わなくても、ＤＭＡマネージャ内に格納された位置情報から、即座に判る。
【００４３】
さらに、ＤＭＡマネージャ格納エリア（Ｍａｎ１、Ｍａｎ２）は、夫々が複数のマネージャ予約エリアを備えている。これは、ＤＭＡマネージャの欠陥対策である。図８に示すように、１つのマネージャ格納エリア（Ｍａｎ１）は、例えば１０個のマネージャ予約エリア（ＤＭＡ＿Ｍａｎ＃１〜ＤＭＡ＿Ｍａｎ＃１０）を備えている。同様に、もう１つのマネージャ格納エリア（Ｍａｎ２）も、１０個のマネージャ予約エリア（ＤＭＡ＿Ｍａｎ＃１〜ＤＭＡ＿Ｍａｎ＃１０）を備えている。
【００４４】
例えば、初期段階では、各マネージャ格納エリア（Ｍａｎ１、Ｍａｎ２）に含まれる第１のマネージャ予約エリア（ＤＭＡ＿Ｍａｎ＃１）に、現在使用中のＤＭＡ予約エリアを示す位置情報が格納される。オーバーライトに伴い、あるマネージャ格納エリア（Ｍａｎ１）に含まれる第１のマネージャ予約エリア（ＤＭＡ＿Ｍａｎ＃１）が遷移の条件にあてはまってしまった場合は、全てのマネージャ格納エリア（Ｍａｎ１、Ｍａｎ２）の第１のマネージャ予約エリア（ＤＭＡ＿Ｍａｎ＃１）に格納された位置情報が、全てのマネージャ格納エリア（Ｍａｎ１、Ｍａｎ２）の第２のマネージャ予約エリア（ＤＭＡ＿Ｍａｎ＃２）に遷移される（書き移される）。
【００４５】
ＤＭＡマネージャはＤＭＡに比べて書き換え頻度が低い。このため、ＤＭＡマネージャを格納するマネージャ格納エリア（Ｍａｎ１、Ｍａｎ２）、つまりマネージャ予約エリアは、ＤＭＡに比べてオーバーライトによって欠陥になる可能性は低い。しかし傷や指紋などで、マネージャ予約エリアからＤＭＡマネージャが読み出せなくなることはある。そこで、１つのＤＭＡマネージャ内に、同一内容（現在使用中のＤＭＡの位置情報）を複数個（この例ではＭａｎ１とＭａｎ２の２個）持たせる。つまり、マネージャ予約エリア内に、同一内容を多重書きする。これにより、ＥＣＣブロックとしてエラー訂正できない場合にでも、現在使用中のＤＭＡの位置情報を読み出すことができる。その上で、各ＤＭＡマネージャ（Ｍａｎ１とＭａｎ２）それぞれに１０個のスペアエリア（ＤＭＡ＿Ｍａｎ＃１〜ＤＭＡ＿Ｍａｎ＃１０）を持たせて、耐用性を高めている。
【００４６】
図９は、現在使用するＤＭＡの先頭物理セクタ番号等を管理するＤＭＡマネージャのデータ構造を例示する図である。図９に示すように、ＤＭＡマネージャは、現在使用中の４つのＤＭＡ予約エリアのアドレスを管理している。例えば、現在使用中のＤＭＡ予約エリアがＤＭＡセット群１であるとすれば、ＤＭＡマネージャは、ＤＭＡセット＃１−１、ＤＭＡセット＃２−１、ＤＭＡセット＃３−１、ＤＭＡセット＃４−１それぞれのアドレス（先頭物理セクタ番号ＰＳＮ）を管理している。現在使用中のＤＭＡ予約エリアの位置を一意に特定できれば、ＤＭＡマネージャ内に記述するのは、ＤＭＡ予約エリアのアドレスでなく、そのエリア番号（図２の例で言えば１〜Ｎ）でもよい。
【００４７】
図９に示すように、ＤＭＡマネージャ（Ｍａｎ１、Ｍａｎ２）は、情報記憶媒体（光ディスク）のリードインエリアおよびリードアウトエリアの少なくとも一方に存在し（この実施の形態では双方に存在）、複数のＤＭＡ（交替領域）のうち現在使用する１つ（例えばＤＭＡセット＃１−１〜 ＤＭＡセット＃１−４からなるＤＭＡセット群１）の先頭位置を示す情報および１以上の予約エリアを含む。この１以上の予約エリアの少なくとも１つを、ＤＭＡ間の遷移（交替記録）がどんなときに行われるかを示す条件あるいは閾値（書換え回数が所定回になったか、ＥＣＣでエラー訂正が可能な範囲でエラーレートが所定レートを超えたか等）を格納する条件格納場所として使用できる。
【００４８】
このようにＤＭＡマネージャは、現在使用中のＤＭＡ予約エリアのアドレスを管理するため、マネージャの示すＤＭＡを最新として使用する。また、マネージャ自体も劣化するため、マネージャ自体も交替処理する。しかしながら、いずれはディスク上の全ての領域を消費してしまうことが予想できるため、後述する本発明を利用すればこの情報をユーザに随時知らせることでユーザはいつでもディスクの寿命を知ることができる。
【００４９】
図１０は、情報記憶媒体（光ディスク）のディスク定義構造におけるバイト割り当てを例示する図である。図１０は、ＤＭＡに含まれるＤＤＳ／ＰＤＬブロックの先頭セクタ内に記述されるコンテンツの一例を示している。ＤＤＳ／ＰＤＬブロックの所定のエリア（ディスク定義構造）には、４バイトのＤＤＳ／ＰＤＬ update counterおよび１以上の予約エリアその他が配置されている。ＤＤＳ／ＰＤＬ update counterは、ＤＤＳ／ＰＤＬブロックの内容が更新される度にインクリメント（＋１）されるカウンタである。この１以上の予約エリアの少なくとも１つを、ＤＭＡ間の遷移（交替記録）がどんなときに行われるかを示す条件あるいは閾値（書換え回数が所定回になったか、ＥＣＣでエラー訂正が可能な範囲でエラーレートが所定レートを超えたか等）を格納する条件格納場所として使用できる。
【００５０】
図１１は、一次欠陥リスト（ＰＤＬ）の内容を例示する図である。ＰＤＬは、複数のＰＤＬエントリを持つことが可能となっている。また、図１２は、ＰＤＬ中の各ＰＤＬエントリのデータ構造を例示する図である。各ＰＤＬエントリは、エントリタイプと、予約エリアと、欠陥物理セクタ番号の情報を含んで構成されている。ここで、エントリタイプは、媒体（ディスク）の製造業者により記述される欠陥セクタの情報（P-list）と、予約と、検証工程で見つかった欠陥セクタの情報（G1-list）と、検証なしでＳＤＬから転送（または転記）された欠陥セクタの情報（G2-list）を区別する情報である。また、欠陥物理セクタ番号の情報は、欠陥のある物理セグメントブロックの物理セクタ番号を含んでいる。そして、多数のＰＤＬ毎に存在する上記予約エリアの少なくとも１つもしくはエントリされていないＰＤＬエントリエリアを、ＤＭＡ間の遷移（交替記録）がどんなときに行われるかを示す条件あるいは閾値（書換え回数が所定回になったか、ＥＣＣでエラー訂正が可能な範囲でエラーレートが所定レートを超えたか等）を格納する条件格納場所として使用できる。
【００５１】
図１３は、ニ次欠陥リスト（ＳＤＬ）の内容を例示する図である。ＳＤＬは、複数のＳＤＬエントリを持つことが可能となっている。また、図１４は、ＳＤＬ中の各ＳＤＬエントリのデータ構造を例示する図である。各ＳＤＬエントリは、例えば８バイトで構成されている。１つのＳＤＬエントリには、欠陥物理セグメントブロックがスペアの物理セグメントブロックで交替されたかどうかを示すＳＬＲフラグビットと、欠陥物理セグメントブロック内で最初の物理セクタの物理セクタ番号を記述した情報と、交替された物理セグメントブロック内で最初の物理セクタの物理セクタ番号を記述した情報と、複数の予約エリアを含んで構成されている。ここで、多数のＳＤＬ毎に存在する上記予約エリアの少なくとも１つを、ＤＭＡ間の遷移（交替記録）がどんなときに行われるかを示す条件あるいは閾値（書換え回数が所定回になったか、ＥＣＣでエラー訂正が可能な範囲でエラーレートが所定レートを超えたか等）を格納する条件格納場所として使用できる。
【００５２】
図１５は、この発明の一実施の形態に係る情報記録再生装置の概略構成を示す図である。この情報記録再生装置は、既に説明した情報記憶媒体（光ディスク）１に対してユーザデータを記録したり、媒体１に記録されたユーザデータを再生したりする。また、この情報記録再生装置は、必要に応じて交替処理も実行する。
【００５３】
図１５に示すように、情報記録再生装置は、変調回路２、レーザ制御回路３、レーザ４、コリメートレンズ５、偏光ビームスプリッタ（以下ＰＢＳ）６、４分の１波長板７、対物レンズ８、集光レンズ９、光検出器１０、信号処理回路１１、復調回路１２、フォーカスエラー信号生成回路１３、トラッキングエラー信号生成回路１４、フォーカス制御回路１６、トラッキング制御回路１７、主制御部２０を備えている。主制御部（ＭＰＵ：Micro Processing Unit）２０は、記録制御、再生制御、ＤＭＡ制御（図１〜図１４を参照して説明したＤＭＡ交替処理等を含む制御）、残り使用量検出制御、その他の制御を行なうファームウエアが書き込まれたＲＯＭ、ワークＲＡＭなどを含んで構成されている。
【００５４】
主制御部（ＭＰＵ）２０は、ドライブ部の制御等を行なうものである。ドライブ部は、変調回路２、レーザ制御回路３、レーザ４、コリメートレンズ５、偏光ビームスプリッタ（以下ＰＢＳ）６、４分の１波長板７、対物レンズ８、集光レンズ９、光検出器１０、信号処理回路１１、復調回路１２、フォーカスエラー信号生成回路１３、トラッキングエラー信号生成回路１４、フォーカス制御回路１６、及びトラッキング制御回路１７を含むものである。
【００５５】
まず、この情報記録再生装置によるデータの記録について説明する。データの記録は、主制御部２０により制御される。記録データ（データシンボル）は、変調回路２により所定のチャネルビット系列に変調される。記録データに対応したチャネルビット系列は、レーザ制御回路３によりレーザ駆動波形に変換される。レーザ制御回路３は、レーザ４をパルス駆動し、所望のビット系列に対応したデータを媒体１上に記録する。レーザ４から放射された記録用の光ビームは、コリメートレンズ５で平行光となり、ＰＢＳ６に入射し、透過する。ＰＢＳ６を透過したビームは４分の１波長板７を透過し、対物レンズ８により媒体１の情報記録面に集光される。集光されたビームは、フォーカス制御回路１６によるフォーカス制御及びトラッキング制御回路１７によるトラッキング制御により、記録面上に最良の微小スポットが得られる状態で維持される。
【００５６】
続いて、この情報記録再生装置によるデータの再生について説明する。データの再生は、主制御部２０により制御される。主制御部２０からのデータ再生指示に基づき、レーザ４は再生用の光ビームを放射する。レーザ４から放射された再生用の光ビームは、コリメートレンズ５で平行光となり、ＰＢＳ６に入射し、透過する。ＰＢＳ６を透過した光ビームは４分の１波長板７を透過し、対物レンズ８により媒体１の情報記録面に集光される。集光されたビームは、フォーカス制御回路１６によるフォーカス制御及びトラッキング制御回路１７によるトラッキング制御により、記録面上に最良の微小スポットが得られる状態で維持される。このとき、媒体１上に照射された再生用の光ビームは、情報記録面内の反射膜あるいは反射性記録膜により反射される。反射光は対物レンズ８を逆方向に透過し、再度平行光となる。反射光は４分の１波長板７を透過し、入射光に対して垂直な偏光を持ち、ＰＢＳ６では反射される。ＰＢＳ６で反射されたビームは集光レンズ９により収束光となり、光検出器１０に入射される。光検出器１０は、例えば、４分割のフォトディテクタから構成されている。光検出器１０に入射した光束は光電変換されて電気信号となり増幅される。増幅された信号は信号処理回路１１にて等化され２値化され、復調回路１２に送られる。復調回路１２では所定の変調方式に対応した復調動作を施されて、再生データが出力される。
【００５７】
また、光検出器１０から出力される電気信号の一部に基づき、フォーカスエラー信号生成回路１３によりフォーカスエラー信号が生成される。同様に、光検出器１０から出力される電気信号の一部に基づき、トラッキングエラー信号生成回路１４によりトラッキングエラー信号が生成される。フォーカス制御回路１６は、フォーカスエラー信号に基づきビームスポットのフォーカスを制御する。トラッキング制御回路１７は、トラッキングエラー信号に基づきビームスポットのトラッキングを制御する。
【００５８】
図１６は、残り使用量検出制御を行なう主制御部の概略構成を示す図である。
【００５９】
図１６に示すように、残り使用量検出制御を行なう主制御部２０は、管理情報検出部３２、残り使用量検出部３４、警告部３６とを備えている。尚、この主制御部２０は媒体１の寿命を知らせる表示部を含むホスト３８が接続されている。
【００６０】
管理情報検出部３２は、ＤＭＡ予約エリアの中から現在使用中のＤＭＡを検出する。残り使用量検出部３４は、検出されたＤＭＡから残り欠陥管理情報容量の割合を算出する。警告部３６は、残り使用量検出部３４で算出された残り欠陥管理情報容量の割合をホスト３８に警告する。このことによりホスト３８では常に現在の欠陥管理情報容量の残りを表示することが可能になる。
【００６１】
図１７は媒体挿入時の主制御部の制御処理の一例を示す図である。
【００６２】
図１７に示すように、まずユーザが図１５に示す情報記録再生装置に媒体１を挿入すると（ステップＳＴ１）、主制御部２０はＤＭＡマネージャ（図８のＭａｎ１又はＭａｎ２）の読み込みを開始する（ステップＳＴ２）。ＤＭＡマネージャ（Ｍａｎ１又はＭａｎ２）は現在使用中のＤＭＡ予約エリアを示す位置情報が格納されているため、この読み込みによって、主制御部２０の管理情報検出部３２はＤＭＡ予約エリアの中から現在使用中のＤＭＡを検出することができる（ステップＳＴ３）。残り使用量検出部３４は管理情報検出部３２によって検出された現在使用中のＤＭＡから、残りのＤＭＡ容量を算出する。すなわち、あとどれくらいの容量が残っているのか、ＤＭＡ全体の割合を算出する（ステップＳＴ４）。警告部３６は、残り使用量検出部３４で算出されたＤＭＡの残り容量の割合をホスト３８に警告する。ホスト３８は表示部を含んでいるためこの表示部から残りの割合を表示する（ステップＳＴ５）。表示形式はユーザに分かる形式であればよく、デジタル表示、アナログ表示のどちらでもよいことは言うまでもない。
【００６３】
また図１８は媒体への記録又は再生終了時の主制御部の制御処理の一例を示す図である。図１８に示すように、媒体１に情報を記録又は再生が終了すると（ステップＳＴ１１）、主制御部２０はＤＭＡマネージャ（図８のＭａｎ１又はＭａｎ２）の読み込みを開始する（ステップＳＴ１２）。ＤＭＡマネージャ（Ｍａｎ１又はＭａｎ２）は現在使用中のＤＭＡ予約エリアを示す位置情報が格納されているため、この読み込みによって、主制御部２０の管理情報検出部３２はＤＭＡ予約エリアの中から現在使用中のＤＭＡを検出することができる（ステップＳＴ１３）。残り使用量検出部３４は管理情報検出部３２によって検出された現在使用中のＤＭＡから、残りのＤＭＡ容量を算出する。すなわち、あとどれくらいの容量が残っているのか、ＤＭＡ全体の割合を算出する（ステップＳＴ１４）。警告部３６は、残り使用量検出部３４で算出されたＤＭＡの残り容量の割合をホスト３８に警告する。ホスト３８は表示部を含んでいるためこの表示部から残りの割合を表示する（ステップＳＴ１５）。尚、図１７及び図１８の管理情報検出部３２はＤＭＡマネージャを読み込む以外に上述したインクリメンタルサーチを用いる方法でもよく、またテーブルルックアップ方式を用いて、現在使用中のＤＭＡを検出してもよい。
【００６４】
以上説明したように、本発明では、記録可能な光ディスクは一般的に、製造時や使用中に発生したディスク上の欠陥箇所を欠陥の無い部分と交代することで、欠陥のない論理的な領域を必要なだけ確保する方式を取っている。この欠陥交代情報はＤＭＡ領域に記録されるが、欠陥の増加にしたがって、交代情報を更新する必要がある。ところが、ディスクの膜特性が、繰り返し記録によって劣化するため、この交代情報の更新回数が制限される。特に、繰り返し記録回数の少ない種類のメディアについては、ＤＭＡ領域自体も交代することで、欠陥交代の回数を増やすことができ、結果的にメディアの寿命を延ばすことができる。ＤＭＡが破損するとメディアに対する記録再生に不都合を生じるため、物理的に離れた複数箇所に置かれる。ところが、交代されたＤＭＡを順次サーチする方式を取るとアクセスに時間がかかるため、最新のＤＭＡ領域を指すマネージャと呼ばれる領域を導入し、マネージャの指すＤＭＡを最新として使用する。また、マネージャ自体も劣化するため、マネージャ自体も交代する。このように、いずれはディスク上の全ての領域を消費してしまう事が予想できるため、この情報をユーザーに随時知らせる事でユーザーはディスクの寿命を知ることが可能となる。
【００６５】
本発明は、上記実施形態に限定されるものではなく、実施段階では、その要旨を逸脱しない範囲で種々に変形することが可能である。
【図面の簡単な説明】
【００６６】
【図１】この発明の一実施の形態に係る情報記憶媒体（書換可能な光ディスク）のデータ構造の概略を示す図。
【図２】情報記憶媒体中に配置される欠陥管理領域（ＤＭＡ）のデータ構造の概略を示す図。
【図３】複数のＤＭＡ系列の使用方法の一例を説明する状態遷移図。
【図４】複数のＤＭＡ系列を用いたリニア交替処理を説明する図。
【図５】現在使用するＤＭＡセット群（例えばＤＭＡセット＃１−３〜ＤＭＡセット＃４−３）をインクリメンタルサーチする場合の誤検出要因の例を説明する図。
【図６】現在使用するＤＭＡセット群（例えばＤＭＡセット＃１−３〜ＤＭＡセット＃４−３）以外のＤＭＡセット群内を全て“ＦＦｈ”等で埋めつつ複数のＤＭＡ系列（ＤＭＡセット＃１〜ＤＭＡセット＃４）が同時に遷移する例と、これまで使用してきたＤＭＡセット群内の一部（例えばＤＭＡセット＃２−１、ＤＭＡセット＃３−２、ＤＭＡセット＃１−３等）以外のＤＭＡセット群内を全て“ＦＦｈ”等で埋めつつ個々のＤＭＡセット群内の一部が個別に遷移する例を説明する図。
【図７】複数ＤＭＡマネージャおよび複数ＤＭＡそれぞれの格納位置（情報記憶媒体の物理セクタ番号）を例示する図。
【図８】この発明の一実施の形態に係る情報記憶媒体上におけるＤＭＡマネージャ格納エリア（ＤＭＡ＿Ｍａｎ＃１ＤＭＡ＿Ｍａｎ＃１０）の配置を例示する図。
【図９】現在使用するＤＭＡの先頭物理セクタ番号等を管理するＤＭＡマネージャのデータ構造を例示する図。
【図１０】この発明の一実施の形態に係る情報記憶媒体（光ディスク）のディスク定義構造におけるバイト割り当てを例示する図。
【図１１】一次欠陥リスト（ＰＤＬ）の内容を例示する図。
【図１２】ＰＤＬ中の各ＰＤＬエントリのデータ構造を例示する図。
【図１３】ニ次欠陥リスト（ＳＤＬ）の内容を例示する図。
【図１４】ＳＤＬ中の各ＰＤＬエントリのデータ構造を例示する図。
【図１５】この発明の一実施の形態に係る情報記録再生装置の概略構成を示す図。
【図１６】残り使用量検出制御を行なう主制御部の概略構成を示す図。
【図１７】媒体挿入時の主制御部の制御処理の一例を示す図。
【図１８】光ディスク媒体２０１におけるＢＣＡ（Burst Cutting Area）の記録形態を示した図。
【符号の説明】
【００６７】
１…情報記憶媒体（書換可能光ディスク）、２…変調回路、３…レーザ制御回路、４…レーザダイオード、５…コリメートレンズ、６…偏光ビームスプリッタ（ＰＢＳ）、７…４分の１波長板、８…対物レンズ、９…集光レンズ、１０…光検出器、１１…信号処理回路、１２…復調回路、１３…フォーカスエラー信号生成回路、１４…トラッキングエラー信号生成回路、１６…フォーカス制御回路、１７…トラッキング制御回路、２０…主制御部（各種制御プログラムを含むＲＯＭ、ワークＲＡＭ等を備えたＭＰＵで構成）、３２・・・管理情報検出部、３４・・・残り使用量検出部、３６・・・警告部、３８・・・ホスト
【図１】
2006209920.tif 000003
【図２】
2006209920.tif 000004
【図３】
2006209920.tif 000005
【図４】
2006209920.tif 000006
【図５】
2006209920.tif 000007
【図６】
2006209920.tif 000008
【図７】
2006209920.tif 000009
【図８】
2006209920.tif 000010
【図９】
2006209920.tif 000011
【図１０】
2006209920.tif 000012
【図１１】
2006209920.tif 000013
【図１２】
2006209920.tif 000014
【図１３】
2006209920.tif 000015
【図１４】
2006209920.tif 000016
【図１５】
2006209920.tif 000017
【図１６】
2006209920.tif 000018
【図１７】
2006209920.tif 000019
【図１８】
2006209920.tif 000020